(57)【要約】【課題】本発明は、ひとりでは入りずらいカラオケボックス等へ行かずとも、また自宅でも、騒音なく周囲に気兼ねなく、ひとりでカラオケを楽しむことができ、かつ、防災にも役立つ、ひとりカラオケ兼防災用具を提供する。【解決手段】かぶりものに、スピーカ部、透明なシールド及び透明なシールドと交換機器を有する映像機器から成るシールドを設け、かつ挿通孔を有し、これにサヤ管を持つ酸素チューブを接続させ、この酸素チューブに繋がる、搬送具に入った携帯酸素ボンベを使用し、かつ、携帯電話器を用いて、通信サービスなどで配信等される音源や映像を利用し、前記スピーカ部及び前記交換機器を有する映像機器より再生し、かぶりものの中で呼吸し歌う為、音が外に漏れるなどの心配も無く、また、装置自体の機能及び部品材料も、安全性を重視した選定となっていることを特徴とする。【選択図】図１
2008186004.tif 000002
【特許請求の範囲】
【請求項１】
少なくともひとつ以上のスピーカ部を備え、防音、難燃、耐熱、耐衝撃性で軽量な材料から成る透明なシールドを有し、前記透明なシールドと交換機器を有する映像機器から成るシールドとを有し、防音、難燃、耐熱、耐衝撃性で軽量な材料から成る透明なシールドと、前記透明なシールドと交換機器を有する映像機器から成るシールドは、共に開閉可能な可動式であり、更に前記スピーカ部と前記交換機器を有する映像機器は配線を備え、かつ、携帯電話器と接続される手段を有し、前記スピーカ部は、該携帯電話器からの音源を再生し、前記交換機器を有する映像機器は、前記携帯電話器からの映像を、該交換機器により交換し、かつ該映像機器により再生し、更に、酸素チューブの挿通孔を有し、かつ該酸素チューブの着脱手段を備えた、防音、難燃、耐熱、耐衝撃性で軽量な材料から成るかぶりものと、ベルトに沿う形状で携帯酸素ボンベを収納し、かつ収納開口部を閉める手段を有した、難燃材料より成る携帯酸素ボンベの搬送具であって、前記搬送具に収納された該携帯酸素ボンベへ連結の、難燃材料より成るサヤ管を有した酸素チューブを、前記かぶりものの酸素チューブ挿通孔へ、連結する手段を備えたことを特徴とする、ひとりカラオケ兼防災用具。
【請求項２】
更に、かぶりものの内装が、軽量かつ断熱性、弾力性、衝撃吸収性のある材料から成り、更にかぶりものの首回り部と目穴部に、伸縮性のある材料から成る保護手段を備えた、請求項１に記載のひとりカラオケ兼防災用具。
【請求項３】
更に、前記携帯電話器を利用し、前記スピーカ部及び前記交換機器を有する映像機器にて、再生をはじめてから、一定時間経つと、一定時間が経つ直前より警告表示が前記交換機器を有する映像機器に映し出され、一定時間経過すると映像も音声も自動的に切れる手段を備え、かつ、一定時間経過しないと、再開できない手段を備えた請求項１、２に記載のひとりカラオケ兼防災用具。
【請求項４】
前記携帯酸素ボンベは軽量容器から成る請求項１〜３に記載の、ひとりカラオケ兼防災用具。
【発明の詳細な説明】
【技術分野】
【０００１】  本発明は、ひとりでカラオケボックスやカラオケ装置設置の飲食店等へ行かずとも、また、自宅の自室等、騒音なく周囲に気兼ねなく、ひとりでカラオケを楽しめ、なおかつ非常時に役立つ、ひとりカラオケ兼防災用具に関する。
【背景技術】
【０００２】  従来カラオケをする場合、カラオケボックスやカラオケ装置の設置してある飲食店等へ出掛けたり、自宅などではＣＤ、インターネットのダウンロード等で音源を入手し歌っていた。
また酸素ボンベなどの非常用具が身近にあるのは、一般的に在宅看護の医療用や仕事で使用する場合などである。
【発明の開示】
【発明が解決しようとする課題】  従来カラオケをする手段としては、【０００３】  カラオケボックスへ行く場合、大概複数人であり、ひとりでの入店はなかなか、入りずらく、また、カラオケ装置を設置してある飲食店等でも、ひとりでの入店は勇気がいり、入りにくいうえ、他の客等を気にしてカラオケを楽しめない。【０００４】  ＣＤ、インターネットのダウンロード等で音源を入手し、自宅の自室などで歌う場合、騒音など周囲に気兼ねし気持ち良く歌えず、場合によっては本当に騒音にもなりかねない。【０００５】  また緊急時すぐ使える非常用具は、身の回りに通常あまりなく、あれば心強いものである。
【課題を解決するための手段】
【０００６】  少なくともひとつ以上のスピーカ部を備え、
防音、難燃、耐熱、耐衝撃性で軽量な材料から成る透明なシールドを有し、
前記透明なシールド部と交換機器を有する映像機器から成るシールドをも有し、
前記の両シールド共、開閉可能な可動式であり、【０００７】  更に前記スピーカ部と前記交換機器を有する映像機器は配線を備え、かつ、携帯電話器と接続される手段を有し、
前記スピーカ部は該携帯電話器からの、通信サービスなどで配信等される音源を再生し、
前記交換機器を有する映像機器は、前記携帯電話器からの、通信サービスなどで配信等される映像を、該交換機器により交換し、該映像機器で再生し、【０００８】  更に、前記携帯電話器より前記スピーカ部及び前記映像機器にて、再生をはじめてから、一定時間経つと、一定時間の直前より、警告表示が前記映像機器に映し出され、一定時間経過すると、映像も音声も自動的に切れる手段を備え、かつ、一定時間経過しないと、再開できない手段を有し、【０００９】  更に、酸素チューブの挿通孔を有し、該酸素チューブの着脱手段を備え、
更に内装が、軽量かつ断熱性、弾力性、衝撃吸収性のある材料から成り、
更に首回り部と目穴部に、伸縮性のある材料から成る保護手段を備えた、
防音、難燃、耐熱、耐衝撃性で軽量な材料から成るかぶりものであって、【００１０】  輪状のベルトに沿う形状で携帯酸素ボンベを収納し、かつ収納開口部を閉める手段をもち、難燃材料より成る携帯酸素ボンベの搬送具であって、
かつ、前記携帯酸素ボンベは軽量容器から成り、【００１１】  該酸素ボンベに連結された難燃材料より成るサヤ管を有した酸素チューブを備え、前記かぶりものの酸素チューブ挿通孔へ、前記難燃材料より成るサヤ管を有した酸素チューブを、連結する手段を有することで構成され、かつ提供することで上記課題を解決する。
【発明の効果】
【００１２】  以上のように、携帯電話器を利用し、通信サービスなどで配信等される音源や映像を再生するかぶりものを身に着け、酸素ボンベと繋がったそのかぶりものの中で呼吸し歌う為、音が外に漏れるなどの心配も無く、わざわざひとりでは入りずらいカラオケボックス等へ出掛けずとも、また自宅の自室等でも、周囲に気兼ねなくひとりでカラオケを楽しむことができる。【００１３】  もうひとつの側面として、装置全体が防災用具としての機能も兼ね備えている点である。
酸素ボンベ及び酸素チューブは、緊急時を想定し、かつ酸欠防止も鑑み、かぶりもの本体から独立しており、
装置のそれぞれの材料自体も、安全性を重視した素材選定となっている。
一定時間使用すると自動的に切れ、一定時間経過しないと再開できないなど、連続使用の防止も図られている。
透明なシールドと交換機器を有する映像機器から成るシールドは、左右が透明なシールドになっており、真ん中が映像機器部分になっている為、映像を観ながら歌っていても、左右から周囲の確認ができるようになっている。
また、透明なシールドと交換機器を有する映像機器から成るシールドを上へあげて、透明なシールドのみにも成り、二種類のシールドを上げて、目穴部を開放することもでき、閉塞感の減少と、事故防止も考慮している。
【発明を実施するための最良の形態】  図面を参照して本発明を説明する。【００１４】  かぶりもの全体を、一般的に馴染みのあるフルフェイスのヘルメット仕様にすることで、外見的にも、利用者にも極力違和感の無いようにした。【００１５】  構造自体も、内装（７）を、軽量、断熱性、弾力性、衝撃吸収性に優れている発泡スチロールとし、ヘルメット外側に当るかぶりもの本体（１）を防音、難燃、耐熱、耐衝撃性で軽量なポリカーボネートを使用し、
首回り部、目穴部（８）を縁ゴムにより保護し、【００１６】  二種類のシールドの内側に当る、透明なシールド（３）も、かぶりもの本体（１）と同様ポリカーボネートを使用し、外側に当る透明なシールドと交換機器を有する映像機器から成るシールド（４），いわゆるコンバータなどが内蔵等されているモニタ（ディスプレイ）側のシールド（４）の、二種類のシールドとも上下運動にて開閉する。外側に当る透明なシールドと交換機器を有する映像機器から成るシールド（４），いわゆるコンバータなどが内蔵等されているモニタ（ディスプレイ）側のシールド（４）は、左右が透明なシールドになっており、真ん中がモニタ部分になっている為、映像を観ながら歌っていても、左右の透明なシールドから周囲の確認ができるようになっている。
また、透明なシールドと交換機器を有する映像機器から成るシールド（４）を上へあげて、透明なシールド（３）のみにもなり、
二種類のシールドを上げて、目穴部を開放することもできる。【００１７】  携帯電話器を利用し、通信サービスなどで配信等される音源を、スピーカ部（２）及び透明なシールドと交換機器を有する映像機器のシールド（４），いわゆるコンバータなどが内蔵等されているモニタ（ディスプレイ）が再生後、一定時間経過すると警告表示を前記交換機器を有する映像機器（４）に表示して音声も映像も切れる仕組みは、３０分経過すると切れる設定として、２９分にモニタ画面隅に切れる旨の表示をさせ、３０分に切れるという趣旨である。
なお、内蔵等する機器を増やすなどし、携帯酸素ボンベ（１１）の入り切りや、酸素残量等の管理表示などのモニタ画面への表示ができてもよい。【００１８】  両耳部分には、スピーカ部（２）が埋め込まれている。
なお機器類の配線（５）は、例えばＵＳＢケーブルでもよい。
かぶりもの本体（１）の挿通孔（６）には、難燃材料より成るサヤ管を有した酸素チューブ（１０）を挿入し、挿通孔（６）の外側及び内側よりゴム製等の止め金具で固定する。【００１９】  携帯酸素ボンベの搬送具（９）は、いわゆるワンショルダーバッグスタイルになっており、ベルトの長さをベルトの金具部分で調節でき、材質はアルミックス耐熱繊維を使用し、収納開口部はひも等で絞ってもよく、例えば収納部本体にポケットが付いてもよい。【００２０】  携帯酸素ボンベ自体（１１）は、軽量アルミ製や更に軽い複合素材製などで、流量計付減圧弁を付け、また、呼吸同調酸素供給装置などを付けてもよく、
酸素チューブを覆うサヤ管（１０）は難燃性の可変タイプが有用である。
【図面の簡単な説明】
【００２１】
【図１】本発明の実施例を示す斜視図（正面図）
【図２】本発明の実施例を示す斜視図（背面図）
【図３】本発明の実施例を示す携帯酸素ボンベの搬送具の詳細図
【図４】本発明の実施例を示すかぶりものの詳細図
【図５】本発明の実施例を示すかぶりものの透視図
【図６】本発明の実施例を示すかぶりものの断面図
【図７】本発明の実施例を示すかぶりものの底面図
【符号の説明】
【００２２】  （１）    かぶりもの本体
（２）    スピーカ部
（３）    透明なシールド
（４）    透明なシールドと交換機器を有した映像機器から成るシールド
（５）    配線
（６）    挿通孔
（７）    内装
（８）    首回り部、目穴部
（９）    携帯酸素ボンベの搬送具
（１０）  難燃材料より成るサヤ管を有した酸素チューブ
（１１）  携帯酸素ボンベ自体
【図１】
2008186004.tif 000003
【図２】
2008186004.tif 000004
【図３】
2008186004.tif 000005
【図４】
2008186004.tif 000006
【図５】
2008186004.tif 000007
【図６】
2008186004.tif 000008
【図７】
2008186004.tif 000009